(57)【要約】【課題】様々な用途に効果的かつ迅速に使用でき、状況により可変可能で、収納や持ち運びなどの汎用性に優れた脱臭・加臭物品を提供する。【解決手段】芳香／消臭棒は、人間の手の力で自由自在に変形可能で且つ変形後の形状を保つ程度の可塑性を有し、特定の用途に使用後元の形に戻す事ができる心棒と、この心棒の周囲に設けられた芳香／消臭剤と、この芳香／消臭剤を挟んで前記心棒の周囲に巻き付けるようにして、前記芳香／消臭剤を保持する包装材とからなる。【選択図】図２
2010284180.tif 000002
【特許請求の範囲】
【請求項１】
人間の手の力で変形可能で且つ変形後の形状を保つ程度の可塑性を有する心棒と、この心棒の周囲に設けられた芳香／消臭剤と、この芳香／消臭剤を挟んで前記心棒の周囲に巻き付けるようにして、前記芳香／消臭剤を保持する包装材とからなることを特徴とする芳香／消臭棒。
【請求項２】
前記心棒は、フレキシブルワイヤーであることを特徴とする請求項１記載の芳香／消臭棒。
【請求項３】
前記芳香／消臭剤は、脱臭炭であることを特徴とする請求項２記載の芳香／消臭棒。
【請求項４】
前記芳香／消臭棒の直径は３mm〜１０mmであり、前記脱臭炭は、粒径１〜２mmに粉砕された粒状とした竹炭であることを特徴とする請求項２記載の芳香／消臭棒。
【請求項５】
前記包装材は、前記芳香／消臭棒の一定長さ毎に絞りが形成されており、前記芳香／消臭剤を分離して保持することを特徴とする請求項２記載の芳香／消臭棒。
【請求項６】
内部に香／消臭剤を保持すると共に、全体が棒状に形成され、人間の手の力で変形可能で且つ変形後の形状を保つ程度の可塑性を有する包装材からなることを特徴とする芳香／消臭棒。
【発明の詳細な説明】
【技術分野】
【０００１】
この発明は芳香／消臭物品に関し、特に可塑性を有し、汎用性と実用性に優れた芳香／消臭棒に関する。
【背景技術】
【０００２】
日常生活を快適に過ごす上で、時により悪臭対策は重要な要件となっている。悪臭対策としては、脱臭、消臭及び加臭が考えられる。脱臭と消臭を区別することもあるが、ここでは悪臭を無臭にすることをすべて脱臭と表現することとする。また、加臭は、芳香剤などを使用して、悪臭を目立たなくすることであるが、ここではこういった悪臭マスキングとしての加臭だけではなく、心身をリラックスさせるといった消臭目的以外も含めて加臭と表現することとする。
【０００３】
脱臭剤や加臭剤を用いる場合、それらを液体としてスプレーしたり、または容器に収容し、適当な場所に置いておいたり吊り下げたりして、徐々に放散させるという方法を用いることが多い。また、特許文献１に記載されているように、袋に脱臭剤や加臭剤を収容し、ペット用クッションの下敷き等に使用して、ペット臭の消臭効果を期待したものもある。
【特許文献１】特開平４−１４９６８１号公報
【発明の開示】
【発明が解決しようとする課題】
【０００４】
しかしながら、こういった従来の脱臭・加臭物品は、適当な使用方法に準じて用いれば効果があるものの、それ以外の用途には用いることができない。例えば、スポーツの汗に起因する悪臭対策などに利用するといった場合には不便であり、汎用性に乏しい。
【０００５】
本発明はこうした課題に鑑みてなされたものであり、その目的は、様々な用途に効果的に使用できる汎用性に優れた脱臭・加臭物品を提供することにある。
【課題を解決するための手段】
【０００６】
上記課題を解決するために、本発明の芳香／消臭棒は、人間の手の力で変形可能で且つ変形後の形状を保つ程度の可塑性を有する心棒と、この心棒の周囲に設けられた芳香／消臭剤と、この芳香／消臭剤を挟んで前記心棒の周囲に巻き付けるようにして、前記芳香／消臭剤を保持する包装材とからなることを特徴とする。
【０００７】
このような構成とすることにより、使用者が、この芳香／消臭棒を素手で適宜変形を行い、その用途に合わせた形状とすることにより、様々な状況に対応して悪臭対策や、脱臭効果、または加臭効果を実現することができる。
【０００８】
一つの好適な実施形態では、前記心棒は、フレキシブルワイヤーであり、前記芳香／消臭剤は、脱臭炭であり、また、前記芳香／消臭棒の直径は３mm〜１０mmであり、前記脱臭炭は、粒径１〜２mmに粉砕された粒状とした竹炭である。
【０００９】
別の好適な実施形態では、前記包装材は、前記芳香／消臭棒の一定長さ毎に絞りが形成されており、前記芳香／消臭剤を分離して保持している。
【００１０】
別の様相による本発明の芳香／消臭棒は、内部に香／消臭剤を保持すると共に、全体が棒状に形成され、人間の手の力で変形可能で且つ変形後の形状を保つ程度の可塑性を有する包装材からなることを特徴とする。
【発明の効果】
【００１１】
本発明によれば、様々な用途に効果的に使用可能な汎用性に優れた芳香／消臭棒を提供することができる。特に、日常的な用途に合わせて変形し、それぞれの工夫によって、気軽に便利に使用できる芳香／消臭用の物品が提供される。
【図面の簡単な説明】
【００１２】
【図１】本発明の実施形態に係る芳香／消臭棒の全体図である。
【図２】本発明の実施形態に係る芳香／消臭棒の拡大断面図である。
【図３】本発明の別の実施形態に係る芳香／消臭棒の拡大断面図である。
【図４】本発明の更に別の実施形態に係る芳香／消臭棒の全体図である。
【図５】本発明の更に別の実施形態に係る芳香／消臭棒の拡大断面図である。
【図６】本発明の実施形態に係る芳香／消臭棒を野球のグローブに設置した場合を示す図である。
【図７】本発明の実施形態に係る芳香／消臭棒を剣道のお面や小手に設置した場合を示す図である。
【図８】本発明の実施形態に係る芳香／消臭棒を靴に設置した場合を示す図である。
【図９】本発明の実施形態に係る芳香／消臭棒を洋服掛けに用いるハンガーに設置した場合を示す図である。
【図１０】本発明の実施形態に係る芳香／消臭棒を洋服掛けに用いるハンガーとして利用した場合を示す図である。
【図１１】本発明の実施形態に係る芳香／消臭棒をバックに設置した場合を示す図である。
【図１２】本発明の実施形態に係る芳香／消臭棒を屑入れに設置した場合を示す図である。
【図１３】本発明の実施形態に係る芳香／消臭棒をペットの首輪に巻いた場合を示す図である。
【図１４】本発明の実施形態に係る芳香／消臭棒をペットの首輪として利用した場合を示す図である。
【図１５】本発明の実施形態に係る芳香／消臭棒をストラップとして使用した場合を示す図である。
【発明を実施するための最良の形態】
【００１３】
以下、本発明の好適な実施形態について、図面を参照して説明する。図１および図２は、本発明の実施形態に係る芳香／消臭棒としての脱臭物品１の全体図および拡大部分断面図である。出願人はこの脱臭物品を「におい棒」と呼んでいる。これは、持ち主の意に従い自在に伸縮する、孫悟空の如意棒から命名したものである。
【００１４】
におい棒１は、心棒としてのフレキシブルワイヤー１１と、このフレキシブルワイヤー１１の周囲に配された脱臭剤１３と、全体を通気性のある包装材１５で覆ったものである。そして、全体として細長い円筒状（紐状）に形成され、後に詳細に説明するように自由に折り曲げて所望の形状に変形できる。変形した後は、フレキシブルワイヤー１１が心棒となって、その形状が維持される。
【００１５】
におい棒の具体的な寸法は、例えば日常的な用途を考慮し、直径３mm〜１０mm、長さ３０ｃｍ〜５mとする。保存には一般的な金属ワイヤーと同じように巻き取っておく。また、実際の販売では、例えば直径３mm、５mm、１０mm、長さ３０ｃｍ、6０ｃｍ、１ｍ、２ｍのものを取り揃えておき様々な用途に供する。
フレキシブルワイヤー１１としては、金属でできたものが、形状保持の観点からは優れている。しかし、コストや製造工程の観点から、ナイロン製のフレキシブルワイヤーとしても良い。いずれにせよ、人間の手の力で容易に変形可能で、且つ変形後の形状を保つ程度の可塑性を有する材料が用いられる。
【００１６】
ここでは、一般に入手可能な直径０．2ｍｍ〜０．7ｍｍ、例えば直径０．５ｍｍの軟質合金製フレキシブルワイヤーを用いる。細めのフレキシブルワイヤーを用いた場合は、柔軟性が高くなるので、手袋の中など、人体の動きのある部分に対応して用いる際に適当である。太めのフレキシブルワイヤーを用いた場合は、形状を保持できるので、柔軟性の不要な部分に用いる際に適当である。
【００１７】
脱臭剤１３としては、物理的な脱臭剤を用いる。物理的な脱臭剤とは、悪臭の元となる成分を吸着、包摂するものである。これに対して、化学的な脱臭剤というものもある。化学的脱臭剤は、悪臭の元となる成分を脱臭剤の成分と化学反応させ、無臭の成分にしてしまうものである。化学的な脱臭剤を、脱臭剤１３として用いることも可能であるが、悪臭の種類によっては効果が期待できず汎用性は低くなる。また、再利用という点でも難がある。
【００１８】
ここでは、具体的に脱臭炭、特に鹿児島産孟宗竹を原材料として粒状とした竹炭を脱臭剤１３として用いる。孟宗竹の竹炭には様々な用途があるが、特に、空気の脱臭・浄化・調湿に優れていることで知られている。そして、その粒径はにおい棒１の半径の１／３から１／６程度とすると、取り扱いに利便性がある。この例では、におい棒１の直径は５mmなので、粒径１〜２mm程度に粉砕された孟宗竹を用いる。このように粉砕された孟宗竹は、使用に伴い脱臭力が低下した場合でも、水洗いによって脱臭力が回復するので、何度でも使用可能である。
【００１９】
包装材１５としては、通気性に優れ且つ十分な強度を持った多孔質合成樹脂フィルムを用いる。前記フレキシブルワイヤー１１と脱臭炭をフィルムの上におき、このフィルムで巻き込み、表面で接合してにおい棒１として製造する。この多孔質合成樹脂フィルムは伸縮性が無いので、脱臭剤１３が内部で移動し偏ってしまうことがない。
【００２０】
この場合、多孔質合成樹脂フィルムは、水分も透過するので、悪臭成分の吸着が弱くなったら、適宜におい棒１をそのまま水洗いすることによって、効果を回復させることができる。また、実際の販売では、フィルムの色も赤、黒、白、青等、複数取り揃えておき様々な用途に供する。
【００２１】
図３は、本発明の別の実施形態に係る芳香／消臭棒としての脱臭物品２の拡大部分断面図である。この実施形態は、上記実施形態とは異なり、心棒としてのフレキシブルワイヤーが設けられていない。フレキシブルワイヤーを設ける代わりに、包装材２５が通気性を備えた変形形状保持樹脂からなっている。従って、上記実施形態と同様に、自由に折り曲げて所望の形状に変形でき、変形した後は、その形状が維持される。
【００２２】
図４および図５は、本発明の更に別の実施形態に係る芳香／消臭棒としての脱臭物品３の全体図および部分拡大図である。上記実施形態では、伸縮性が無い多孔質合成樹脂フィルムを用いたことと、脱臭剤の粒径をにおい棒１の半径の１／３から１／６程度としたことにより、脱臭剤３３が内部で移動し偏ってしまうことがない。この実施形態では、一定長さ、例えば、１〜２ｃｍ毎に絞り３１を入れて脱臭剤３３が内部で移動し偏ってしまうことを防止している。従って、脱臭剤の粒径を自由に決めることができる。
【００２３】
次に、上記におい棒１の具体的な利用例を説明する。図６は、野球のグローブに、におい棒１を設置した場合を示す図である。すなわち、予め、におい棒１を図示の如く手形の形に変形しておき、グローブの中に設置する。
【００２４】
図７は、剣道のお面や小手に、におい棒１を設置した場合を示す図である。すなわち、予め、におい棒１を図示の如くお面や小手に合わせた形に変形しておき、それらの中に設置する。お面の中に設置する場合には、柔軟性は不要なので、太めのにおい棒１を用いるとよい。
【００２５】
図８は、靴に、におい棒１を設置した場合を示す図である。すなわち、予め、におい棒１を図示の如く靴に合わせた形に変形しておき、それらの中に設置する。靴の中に設置する場合には、柔軟性は不要なので、太めのにおい棒１を用いるとよい。
【００２６】
図９は、洋服掛けに用いるハンガーに、におい棒１を設置した場合を示す図である。洋服タンスに入れておくと、他の衣類のその臭いも吸収してくれる。特に、ハンガーが、ランドリーなどから提供される金属製のハンガーであるような場合には、におい棒１を適当な形に緩く巻き付けておくと、全体的に厚みが出て、洋服の型崩れを防止するという効果もある。また、図１０に示したように、におい棒１そのものをハンガー形状に変形して、ハンガーとして用いることも可能である。
【００２７】
図１１は、バックに、におい棒１を設置した場合を示す図である。すなわち、予め、バックの底の形状に合わせて変形しておいて敷いておくと、嫌な臭いが発生しない。
【００２８】
図１２は、屑入れに、におい棒１を設置した場合を示す図である。すなわち、予め、屑入れの底に螺旋状に巻いて敷いておくと、嫌な臭いが発生しない。
【００２９】
図１３は、ペットの首輪に巻いて、動物の臭気を吸収する場合を示す図である。室内で飼う場合などでは、図１４に示したように首輪の代わりに用いてもよい。いずれにせよ、カラフルな色合いのものを、飼い主の趣味に合わせて成形して使用すると楽しみも増える。
【００３０】
図１５は、におい棒１をストラップとして使用した場合を示す図である。常時携帯する携帯電話に用いると、消臭効果が期待できる。この場合、心棒としてのフレキシブルワイヤーは細めにするか省略しても良い。
【００３１】
上記実施形態では、におい棒には脱臭剤を収納していたが、脱臭剤の代わりに加臭剤として芳香剤を収納しても良い。芳香剤としては、ローズ、レモン、ペパーミント等の香りを取り揃える。その他の構成は、脱臭剤入りにおい棒と基本的に同一なので、重複する説明を省略する。
【００３２】
芳香剤を収納したにおい棒も、悪臭対策として、脱臭剤を収納したにおい棒と同様に利用することが可能である。または、香りを楽しむ目的で利用する。その他に、ファッション性を高めることで、それらの目的に加え、アクセサリーを兼ねて首にかけるようにしても良い。
【００３３】
なお、上記の通り、脱臭剤と芳香剤のいずれを用いても、本発明の技術的な思想は共通するので、特許請求の範囲および明細書において、これらを芳香／消臭剤として総称することとする。すなわち、脱臭剤と芳香剤のどちらも芳香／消臭剤の一例となる。
【００３４】
以上、本発明を実施例により詳細に説明したが、当業者にとっては、本発明が本願中に説明した実施例に限定されるものではないということは明らかである。本発明は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【符号の説明】
【００３５】
１ 芳香／消臭棒（におい棒）
１１ フレキシブルワイヤー
１３ 脱臭剤
１５ 包装材
２ 芳香／消臭棒（におい棒）
２５ 包装材
３ 芳香／消臭棒（におい棒）
３１ 絞り
３５ 包装材
【図１】
2010284180.tif 000003
【図２】
2010284180.tif 000004
【図３】
2010284180.tif 000005
【図４】
2010284180.tif 000006
【図５】
2010284180.tif 000007
【図６】
2010284180.tif 000008
【図７】
2010284180.tif 000009
【図８】
2010284180.tif 000010
【図９】
2010284180.tif 000011
【図１０】
2010284180.tif 000012
【図１１】
2010284180.tif 000013
【図１２】
2010284180.tif 000014
【図１３】
2010284180.tif 000015
【図１４】
2010284180.tif 000016
【図１５】
2010284180.tif 000017